Podtech/llm-jp-corpus-v4-ja_patent huggingface dataset:
(57)【要約】      （修正有）【課題】リンパ浮腫による足の腫れや、足の疲れを早く軽減させる足用サポーターの提供。【解決手段】帯状体１でなるサポータで足の甲部分に圧をかけて固定し、踵は巻かずに、踝、踝から膝までの下肢、膝、大腿部にすこし圧をかけて巻き上げることにより、足全体の組織を維持し、足に見られる浮腫を抑え、尚、且つ、甲の部分に圧をかけて固定することや、踝用補助バンドで踝に圧をかける事で、腫れの引きにくい部分、甲や踝の腫れを軽減させることが出来る。また、同時に発汗作用を促し、足の皮膚表面よりも老廃物や水分を発散させることで、腫れを軽減させる事が出来る。【選択図】図２
0003118611.tif 000002
【実用新案登録請求の範囲】
【請求項１】
足の甲部分を巻き付ける片部、踝部分を巻き付ける片部、下肢部分を巻き付ける片部、膝部分を巻き付ける片部、さらに大腿部分を巻き付ける片部を順次連続させて帯状に形成すると共に、且つ長手方向に伸縮する帯状体と、この帯状体の両端部面に備えられると共に、而も帯状体の任意の位置に接着出来る面状ファスナーとでなしたことを特徴とする足用サポータ。
【請求項２】
帯状体は、甲部分を巻き付ける片部から下肢部分を巻き付ける片部、膝部分を巻き付ける片部と、膝部分を巻き付ける片部から大腿部分を巻き付ける片部とに夫々分割し、而も膝部分を巻き付ける片部がその巻き付け時において重畳することを特徴とした請求項１記載の足用サポータ。
【請求項３】
踝部分を巻き付ける片部に踝用の補助バンドを備えたことを特徴とする請求項１〜２記載の足用サポータ。
【請求項４】
帯状体は、肌に触れる内被布と、この内被布と外被布との間に介在する発汗作用を促すゴム層とでなしたことを特徴とした請求項１〜３記載の足用サポータ。  
【考案の詳細な説明】
【技術分野】
【０００１】
この考案は、リンパ浮腫による足の腫れや、足の疲れを軽減させる事に関する。
【背景技術】
【０００２】
従来、圧迫ストッキングや圧迫包帯を着用していたが、堅く腫れ上がった足には、なかなか効果が現れなかった。足の踝の腫れには特に無理だった。強く足を締め付けると足が疲れ逆に循環が悪くなります。
【０００３】
【特許文献１】特許第３６０９３４１号
【考案の開示】
【考案が解決しようとする課題】
【０００４】
この考案は、リンパ浮腫による足の腫れや、足の疲れを早く軽減させる事。
リンパ浮腫は、体内のリンパ液（老廃物や水分）が体内をうまく巡回できず、そしてリンパ液が足より体の中心に戻る量がきわめて少なくなり、そのためにリンパ液が足に多く留まってしまうことで、足が腫れ上がる。リンパ液の循環をよくすることが必要。
【課題を解決するための手段】
【０００５】
この考案は、帯状体でなるサポータで足の甲部分に圧をかけて固定し、踵は巻かずに、踝、踝から膝までの下肢、膝、大腿部にすこし圧をかけて巻き上げることにより、足全体の組織を維持し、足に見られる浮腫を抑え、尚、且つ、甲の部分に圧をかけて固定することや、踝用補助バンドで踝に圧をかける事で、腫れの引きにくい部分、甲や踝の腫れを軽減させることが出来る。また、同時に発汗作用を促し、足の皮膚表面よりも老廃物や水分を発散させることで、腫れを軽減させる事が出来る。
【考案の効果】
【０００６】
（１）請求項１により、足全体を帯状体で巻くことにより、足の組織を維持し、足の浮腫を軽減させることが出来る。
（２）請求項２により、膝のあたりで２本に分割されている事により、膝の部分の帯状体のズレを少なくすることが出来る。また、使用しやすくなる。
（３）請求項３により、アキレスの位置に付着された踝用補助バンドにより踝の丸みに添わせて圧をかけることが出来、なかなか難しい踝の浮腫を軽減させることが出来る。
（４）請求項４により、発汗作用を促進させることにより足にある水分の分泌を促し皮膚表面から水分を発散させて、足の浮腫を軽減させることが出来る。
【考案を実施するための最良の形態】
【０００７】
以下、この考案の実施の形態を示す図面に基づき説明する。
図１は、伸縮可能な帯状体本体Ｈ１、Ｈ２である。帯状体本体Ｈ１、Ｈ２は、甲巻付け部Ｈａ、踝巻き付け部（アキレスの位置）Ｈｂ、膝までの下肢巻付け部Ｈｃ、膝巻付け部Ｈｄとさらに大腿部巻付け部Ｈｅが順次連続してあり、踝用補助バンドＨｆ１、Ｈｆ２がアキレス位置の外面にある。帯状体本体Ｈ１、Ｈ２と、踝用補助バンドＨｆ１、Ｈｆ２のそれぞれ両端部面には面状ファスナー１，２，３，４，５，６，７，８が縫い付けてあり、各面状ファスナーと帯状体及び、踝用補助バンドの外面とが、任意の位置で接着出来るようになっている。そして、踝用補助バンドの中程に踝からずれないように面状ファスナー９，１０も取り付けられている。勿論、帯状体本体Ｈ１、Ｈ２は分割することなく一本のものでもよい。
図２は、図１の帯状体本体Ｈ１の背面を示している。また、その詳細である。
【実施例】
【０００８】
実施の例として図面を使って説明をする。
図３ａ、図３ｂ、図３ｃは
帯状体本体Ｈ１を使って、まず、アキレスの位置Ｈｂを足に合わせて左手で持ち、甲巻付け部Ｈａを右手で足の甲を巻く。甲から土踏まずの順に少し引っ張りながら巻き、端の面状ファスナー１で帯状体本体Ｈ１に接着する。
図３ｄは
帯状体本体Ｈ１の下肢巻付け部Ｈｃ、膝巻付け部Ｈｄを使って、続けて下肢部、膝、を巻き上げていく。この時に帯状体本体が幅で少し重なる様にして、少し引っ張りながら巻き、端の面状ファスナー２で帯状体本体Ｈ１に接着する。
図３ｅ、図３ｆは
踝用補助バンドＨｆ１でまず、内踝上側、外踝上側と少し引っ張りながら、踝の横に面状ファスナー９，１０で接着しさらに足の甲の上で交差させて、端の面状ファスナー５，６で帯状体本体Ｈ１に接着する。
図３ｇ、図３ｈは
踝用補助バンドＨｆ２で内踝下側、外踝下側と少し引っ張りながら面状ファスナー７，８で帯状体本体Ｈ１か踝巻き用補助バンドＨｆ１に接着する。        
図３ｉは
帯状体本体Ｈ２の面状ファスナー３で帯状体本体Ｈ１の膝の部分に重ね合わせて接着し、膝巻付け部Ｈｄ、大腿巻付け部Ｈｅを使って、膝、大腿と少し引っ張りながら巻いて行き最後は、面状ファスナー４で帯状体本体Ｈ２に接着する。  
【図面の簡単な説明】
【０００９】
【図１】帯状体の正面図。
【図２】同上の一方、帯状体の背面図。
【図３】同上の使用順序を示す図。
【符号の説明】
【００１０】
Ｈ１、Ｈ２        帯状体本体
Ｈａ          甲に巻き付ける片部
Ｈｂ          踝部分に巻き付ける片部（アキレスの位置）
Ｈｃ          下肢部に巻き付ける片部
Ｈｄ          膝に巻き付ける片部
Ｈｅ          大腿に巻き付ける片部
Ｈｆ１、Ｈｆ２      踝に巻き付ける補助バンド
１          甲位置固定の、面状ファスナー
２、３      膝位置固定の、面状ファスナー
４          大腿部位置固定の、面状ファスナー
５、６、７，８，９，１０        踝位置固定の、面状ファスナー  
【図１】
0003118611.tif 000003
【図２】
0003118611.tif 000004
【図３】
0003118611.tif 000005
(57)【要約】      （修正有）【課題】トルクを上昇させ、しかも高速ギアの速度を上昇させる多段式プーリーを提供する。【解決手段】プーリーの片側に異なる角度を備えてなる第一斜面２２１及び第二斜面２２２を設け、該プーリー２が無段変速ギアの低速に組み合わせられ回転する時、プーリーが設ける第一斜面により、プーリーとフライホイールとの間の挟み角度を増大し、プーリーとフライホイールとの間のベルトはシャフトを更に接近させ動力を伝達させ、低速トルク及び高速ギアの速度を向上させる。【選択図】図３
0003118650.tif 000002
【実用新案登録請求の範囲】
【請求項１】
片側に第一側面を設け、該第一側面に２つ以上の異なる角度を備える斜面を設けたことを特徴とする多段式プーリー。
【考案の詳細な説明】
【技術分野】
【０００１】
本考案は、片側に異なる角度の第一斜面と第二斜面とを備え、プーリーとフライホイールとの間の挟み角度を増大させて、プーリーとフライホイールとの間にベルトがシャフトを接近させ動力を伝達し、低速のトルク及び高速ギアの速度を向上させることを可能にした多段式プーリーに関する。
【背景技術】
【０００２】
図１に示すように従来のプーリーの構造は、プーリー１の片側に推移部１１を設け、該推移部１１の中央はもう片側のシャフト１２へ貫穿され、該シャフト１２の周囲凹部に二つ以上の斜度を持つ溝１１１を設けている。この溝１１１は、相互に対応するウェイトローラー１１２を収容している。前記推移部１１には、相互に対応するプレッシャープレート１１３が嵌合されている。前記プーリー１のもう片側には、フライホイール１４と相対する挟み角を形成する斜面１３（図２参照）が組み合わせ設けられている。
【考案の開示】
【考案が解決しようとする課題】
【０００３】
このように従来のプーリーは、無段変速ギアが高速回転している時に、速度を上昇させる効果を有するが、図２に示すように、従来のプーリーは単一角度の斜面１３を形成している為、角度が高くなり過ぎ、無段変速ギアが低速回転している時に、フライホイールとの間の挟み角度が小さくなり過ぎ、プーリー１とフライホイール１４との間のベルト１５が、シャフト１２を接近させトルクを伝達することができなくなるという問題が発生する。
【０００４】
本考案はこれらの事情に鑑みてなされたもので、プーリーの片側に異なる角度を備える第一斜面及び第二斜面を設け、該プーリーが無段変速ギアと組み合わせられて低速回転する時、該プーリーに形成した第一斜面により、該プーリーとフライホイールとの間の挟み角度を増大し、プーリーとフライホイールとの間のベルトはシャフトを接近させて動力を伝達し、低速のトルク及び高速速度を大幅に向上させることを可能とした多段式プーリーを提供することを目的とする。
【課題を解決するための手段】
【０００５】
前記目的を達成するため本考案の一態様による多段式プーリーは、片側に第一側面を設け、該第一側面に２つ以上の異なる角度を備える斜面を設けている。
【考案の効果】
【０００６】
本考案による多段プーリーによれば、トルクを上昇させ、しかも高速ギアの速度を上昇させる効果がある。
【考案を実施するための最良の形態】
【０００７】
以下、図面を参照して本考案野実施例を説明する。  
【実施例】
【０００８】
本考案の一実施例の多段プーリー２は、第一側面２２、推移部２１を設け、該第一側面２２はプーリー２の片側に設けられ、該第一側面２２は異なる角度を備える第一斜面２２１及び第二斜面２２２を有して、多段の効果を達成し、前記推移部２１はプーリー２のもう片側に設けられ、該推移部２１はもう片側へ貫穿するシャフト２１１、及び二つ以上の斜度を備える溝２１２を設けてなり、該溝２１２は相対するウェイトローラー２１３を収容し、また該推移部２１は相互に対応するプレッシャープレート２１４に組み合わせられている。
【０００９】
即ち、図３に示すように、本考案がの一実施例の多段式プーリーは、第一側面２２、推移部２１を設けている。前記第一側面２２はプーリー２の片側に設けられ、該第一側面２２は異なる角度を備える第一斜面２２１及び第二斜面２２２を設けている。前記推移部２１は、プーリー２のもう片側に設けられている。該推移部２１は、もう片側へ貫穿するシャフト２１１、及び二つ以上の斜度を備える溝２１２を設けている。該溝２１２は、相対するウェイトローラーを収容している。また、前記推移部２１は、相互に対応するプレッシャープレート２１４に組み合わせられている。
【００１０】
図３及び４に示すように、前記プーリー２は無段変速ギアに組み合わせて用いられて低速回転する時、プーリー２の第一側面２２が設ける第一斜面２２１により、該プーリー２とフラーホイール３１との間の挟み角度２４１を増大させ、プーリー２とフライホイール３１との間のベルト３２のピッチ円直径３２１がシャフト２１１を繋ぎ動力を可能にし、低速のトルクを上昇させことができる。
【００１１】
図３及び５に示すように、前記プーリー２は無段変速ギアに組み合わせられ高速回転する時、前記プーリー２の推移部２１の溝２１２内に収容されるウェイトローラー２１３は、プーリー２の高速回転が発生する遠心力を受けて溝２１２の斜度から外へ滑動してプレッシャープレートを押し、前記プーリー２をフライプレート３１に向かって推移させる。推移する過程において、プーリー２は第一側面２２が設ける第一斜面２２１及び第二斜面２２２により、前記プーリー２とフライプレート３１との間の挟み角度２４１を縮小して、前記プーリー２とフライプレート３１との間のベルト３２のピッチ円直径３２１が外に向かって増大して動力を伝達し、高速ギアの速度を大幅に上昇させる。
【００１２】
上述では好ましい実施例を開示したが、これらは決して本考案を限定するものではなく、当該技術を熟知する者なら誰でも、本考案の精神と領域を脱しない範囲内で各種の変更を加えることができ、本考案の保護範囲は、実用新案請求の範囲で限定した以外限定されない。
【図面の簡単な説明】
【００１３】
【図１】従来例のプーリーを示す側面図である。
【図２】フライホイールと組み合わせた従来例のプーリーを示す側面図である。
【図３】本考案の一実施例の多段式プーリーを示す側面図である。
【図４】本考案一実施例の低速時の動作説明図である。
【図５】本考案一実施例の高速時の動作説明図である。
【符号の説明】
【００１４】
１ プーリー
１１ 推移部
１１１ 溝
１１２ ウェイトローラー
１１３ クラッチプレッシャープレート
１２ シャフト
１３ 斜面
１４ フライホイール
１５ ベルト
２ プーリー
２１ 推移部
２１１ シャフト
２１２ 溝
２１３ ウェイトローラー
２１４ クラッチプレッシャープレート
２２ 第一側面
２２１ 第一斜面
２２２ 第二斜面
２４１ 挟み角度
３１ フライホイール
３２ ベルト
３２１ ピッチ円直径
【図１】
0003118650.tif 000003
【図２】
0003118650.tif 000004
【図３】
0003118650.tif 000005
【図４】
0003118650.tif 000006
【図５】
0003118650.tif 000007
(57)【要約】      （修正有）【課題】衣服の適宜な縫着箇所に前述の消臭テープを貼り付け、または、縫着して、汗による臭さの臭わない衣服を提供する。【解決手段】被服内面の適宜な箇所に、消臭テープ（１）を、他のテープ等の部材と共に、あるいは、そのまま単独で貼り付ける、縫い付けるか、または、貼り付け、かつ、縫い付ける消臭衣服から構成されるものであり、尚、適宜な縫着箇所とは、本来、被服（Ｘ）を縫製する際に、縫われている箇所を指し、例えば、首回りの襟ふせ部（Ｙ）や、前身頃と後身頃とを縫い合わせる肩線（Ｚ）とか、衣服（Ｘ）の腋の下に位置する部分に、ウーリーテープと呼ばれる伸び止めテープ（２）を縫着しているが、該伸び止めテープ（２）に重合して、消臭テープ（１）を設けるものである。【選択図】図１
0003118640.tif 000002
【実用新案登録請求の範囲】
【請求項１】
被服（Ｘ）において、該被服の適宜な箇所に、消臭テープ（１）を貼り付けるか、あるいは、他のテープ等の部材と共に貼り付け、縫い付け、または、貼り付け、かつ、縫い付けることを特徴とする消臭衣服。
【考案の詳細な説明】
【技術分野】
【０００１】
この考案は、消臭衣服に関する。
【背景技術】
【０００２】
従来、被服を着用することにより、夏等の季節は何もしないでも汗をかき、それ以外の時期では運動をすることにより、汗をかくが、汗は衣類に付着し、その汗が乾くと、汗臭い匂いがし、周囲の人にも不快であるばかりでなく、本人も不快であった。
【０００３】
そして、汗を吸収しやすいＴシャツやジャケット等の上衣、スラックス、パンツ等の下衣等の衣類は、特に、臭いも酷く感じられるものであり、このため、この臭いを抑える衣服が開発されている。例えば、特許文献１のように。
【特許文献１】実用新案登録第３０７５１３０号公報
【０００４】
しかし、この考案に係る衣服は、一般の素材を用いた衣服とは異なり、消臭繊維による布地や不織布を用いたものであり、しかも、当該衣服の織り込み部や止着部に使用するものにすぎなかった。
【０００５】
近年、アンモニア、酢酸、イソ吉草酸、硫化水素、トリメチルアミンなどの悪臭成分に効果のあり、近接空間の悪臭を吸着し、中和することにより臭気を軽減する無機物微粒子と銀成分を特殊な樹脂に練り込みフィルム化したフィルムラミネート消臭テープが開発されている。
【０００６】
そこで、汗等の臭いを抑える衣服を開発・提供する必要があり、上記の開発されたフィルムラミネート消臭テープ〔デオプラス（商標）と呼ばれる。〕（以下、消臭テープという）を用いて、消臭衣服を開発しようとするものである。
【考案の開示】
【考案が解決しようとする課題】
【０００７】
そこで、この考案は、衣服の適宜な縫着箇所に、前述の消臭テープを貼り付け、または、縫着して、汗臭さを軽減できる消臭衣服を開発・提供することにある。
【課題を解決するための手段】
【０００８】
本考案による消臭衣服は、従来、衣服の縫製箇所、あるいは、縫製箇所以外の箇所にも消臭テープを装着することにより、消臭衣服を設けるものである。
【考案の効果】
【０００９】
この考案によると、被服（Ｘ）に消臭テープ（１）を装着することにより、衣服の汗の臭いを消すことができる。
【００１０】
また、被服（Ｘ）の消臭テープ（１）を装着した部分は、通常、他の部材を縫い付けている箇所であり、違和感がない等極めて有益なる効果を奏する。
【考案を実施するための最良の形態】
【００１１】
以下、図面とともに本考案による消臭衣服の好適な実施の形態について詳細に説明する。図１は、衣服の一実施例であるＴシャツの正面図である。
【実施例】
【００１２】
この考案の一実施例を図面に基づいて詳述すると、被服（Ｘ）において、該被服の適宜な箇所に、消臭テープ（１）を貼り付けるか、あるいは、他のテープ等の部材と共に貼り付け、縫い付け、または、貼り付け、かつ、縫い付けることを特徴とする消臭衣服から構成されるものである。
【００１３】
尚、適宜な箇所とは、本来、被服（Ｘ）を縫製する際に、縫われている箇所、例えば、首回りの襟ふせ部（Ｙ）や、前身頃と後身頃とを縫い合わせる肩線（Ｚ）とか、衣服（Ｘ）の腋の下に位置する部分や、それ以外の衣服のすべての箇所を言う。
【００１４】
また、他のテープ等の部材とは、例えば、ウーリーテープと呼ばれる伸び止めテープ（２）をいい、従来より、衣服に縫着して使用されており、該伸び止めテープ（２）に重合して、消臭テープ（１）を設けるものである。
【００１５】
さらに、被服とは、洋服（上衣、下衣を含む）をはじめ、Ｔシャツ、下着、セーター類、コート類等をいう。
【００１６】
また、消臭テープ（１）の被服への装着手段は、貼り付けるか、縫い付けるか、貼り付けて、かつ、縫い着けるものである。
【図面の簡単な説明】
【００１７】
【図１】この考案の一実施例を示す一部欠截正面図である。
【符号の説明】
【００１８】
１  消臭テープ
２  伸び止めテープ
Ｘ  被服
Ｙ  襟ふせ部
Ｚ  前身頃と後身頃とを縫い合わせる肩線
【図１】
0003118640.tif 000003
(57)【要約】【課題】  荷役、運搬作業等でワイヤーロープに生じるくせ、曲り等を矯正、修正するための構造の簡単な、かつ廉価な装置を提供する。 【解決手段】  （1）足踏み方式にし、てこの作用を応用して力を増幅させる。（2）足踏みペダルと矯正丸刃を連動させる。【選択図】図１
0003118656.tif 000002
【実用新案登録請求の範囲】
【請求項１】
足踏みペダルと連動した矯正丸刃の先端に取付けられた引張り金具により、てこの原理で増幅された回転力により受け台に置いたワイヤーロープを矯正丸刃で、曲りを直す矯正機。
【考案の詳細な説明】
【技術分野】
【０００１】
本考案は、ワイヤーロープのくせ、曲り、ねじれ、よじれ等を矯正するのに簡単かつ好適な装置に関するものである。
【背景技術】
【０００２】
ワイヤーロープを矯正する装置、器具においては油圧、足踏み、手押し等の色んな方法が考えられるが、しかしながら油圧の方法だと、装置が大きくなり重量がかさみ複雑で高価である。手押しの方法だと、力の伝達が直接的であり少し大きなワイヤーロープには多少無理がある。又、足踏みの方法で従来考えられていたのは、直接力を入れるものか、押え棒で押し下げるもので力の入れ加減が難しく、構造の簡単でないものが見うけられる。
【考案の開示】
【考案が解決しようとする課題】
【０００３】
本考案は上記従来の方法の問題点を解決し、ワイヤーロープ矯正において構造が簡単で、かつ能率的に行え、小型軽量のものを廉価に提供することを目的とするものである。
【課題を解決するための手段】
【０００４】
課題を解決するための手段としての本考案のワイヤーロープ矯正機は、帯状の鉄板に丸刃を取付け先端に力を加えるために、引張り棒を足踏みペダルと連動させて支点ピンを介して、てこの原理によるところの増幅された回転力を、固定した幅の違う複数の受け台にせん断力を伝達し矯正させるようにした構成よりなる。
【考案の効果】
【０００５】
本考案では曲りくせのついたワイヤーロープを、足踏みペダルと連動した矯正丸刃により小さな力で矯正でき、足踏みペダルの踏み込み加減で大小のワイヤーロープを矯正できる。又両手が自由に使え、人力によるものなので安全であり部品の数が少なく構造が簡単なので、軽量かつ小型に製作する事が可能となる。
【考案を実施するための最良の形態】
【０００６】
本考案の構成は矯正台１の中に組み込んだ足踏みペダル３を踏むことにより、引張り金具６と連動し支点ピン５を介して、てこの作用により増幅された力が矯正丸刃４に伝達し、受け台２に掛け渡されたワイヤーロープをせん断力により矯正する。
【図面の簡単な説明】
【０００７】
【図１】本考案によるワイヤーロープ矯正機の側面図である。
【図２】本考案によるワイヤーロープ矯正機の正面図である。
【符号の説明】
【０００８】
1・・・・矯正台 
2・・・・受け台 
3・・・・足踏みペダル 
4・・・・矯正丸刃 
5・・・・支点ピン 
6・・・・引張り金具 
7・・・・スプリング
【図１】
0003118656.tif 000003
【図２】
0003118656.tif 000004
(57)【要約】【課題】新しいタイプの経済的かつ堅牢なサンドイッチ構造を提供する。【解決手段】中間ハニカム構造（３）を有する２つ以上の位置合わせされたシート（１，２）からなるサンドイッチ構造であって、前記ハニカム構造が、横方向に切断されるとともに接着により前記シート（１，２）間に固定された竹パイプ（３）からなる。【選択図】図１
0003118602.tif 000002
【実用新案登録請求の範囲】
【請求項１】
中間ハニカム構造（３）を有する２つ以上の位置合わせされたシート（１，２）からなるサンドイッチ構造であって、
前記ハニカム構造が、横方向に切断されるとともに接着により前記シート（１，２）間に固定された竹パイプ（３）からなることを特徴とするサンドイッチ構造。
【請求項２】
請求項１に記載のサンドイッチ構造において、
前記竹パイプ（３）が、異なる大きさの直径を有していることを特徴とするサンドイッチ構造。
【請求項３】
請求項１または２に記載のサンドイッチ構造において、
前記シート（１，２）が、竹合板からなることを特徴とするサンドイッチ構造。
【考案の詳細な説明】
【技術分野】
【０００１】
この考案は、中間ハニカム構造を有する２つ以上の位置合わせされたシートからなるサンドイッチ構造に関するものである。
【背景技術】
【０００２】
形状及び材料の両方を変えたハニカム構造を有するいくつかのサンドイッチ構造が知られている。その材料は、板、紙、ポリウレタン、ポリスチレン、木であってもよく、金属チューブによる多様な解決法さえ知られている。表面シート材料はまた、紙からスチールまで変わる。
【考案の開示】
【考案が解決しようとする課題】
【０００３】
この考案の目的は、新しいタイプの経済的かつ堅牢なサンドイッチ構造を提供することである。
【課題を解決するための手段】
【０００４】
本考案のサンドイッチ構造は、横方向に切断されるとともに接着によりシート間に取り付けられた竹パイプからなるハニカム構造を特徴としている。
【０００５】
本考案の好ましい実施例は、異なる大きさの直径を有する竹パイプを特徴としている。
【０００６】
本考案の第２の実施例は、シートが竹合板からなるという事実を特徴としている。
【０００７】
以下、本考案のサンドイッチ構造を示す添付図面を参照しつつ、本考案をその一例によって説明する。
【考案を実施するための最良の形態】
【０００８】
サンドイッチ構造は、中間ハニカム構造３を有する２つの位置合わせされた表面シート１，２からなっている。ハニカム構造は、横方向に切断された竹パイプ３からなり、接着により表面シート１，２間に取り付けられている。竹パイプ３は、１ｃｍから数ｃｍまで変わる異なる大きさの直径を有していてもよい。表面シート１，２はまた、竹単板からなり、そして、竹合板を形成するように接着されている。サンドイッチ構造を使用する目的は、耐性のあるサンドイッチ構造を必要とする任意の周知の目的とされていてよい。
【図面の簡単な説明】
【０００９】
【図１】本考案のサンドイッチ構造を示す図である。
【符号の説明】
【００１０】
１  シート
２  シート
３  中間ハニカム構造（竹パイプ）
【図１】
0003118602.tif 000003
(57)【要約】【課題】    シーズン後の暖房器具内の油受皿内に残った燃料を、片手で連続した操作で簡単に早く燃料を抜取ることができる燃料抜取り器を提供すること。【解決手段】    円筒形の内筒と外筒で構成されていて、外筒と内筒との間にコイルバネを介装したポンプ状の燃料抜取り器で、該外筒の底部外周に流入口および底面に吸込弁を装備した吸込口を設け、外筒の下部側面には排出弁を具備した排出口を設けたものである。【選択図】図２
0003118696.tif 000002
【実用新案登録請求の範囲】
【請求項１】
暖房器具の油受皿内の燃料を抜取る装置において、円筒形の内筒と外筒で構成されて、外筒と内筒との間にコイルバネを介装したポンプ状の燃料抜取り器で、該外筒の底部外周に流入口および底面に吸込弁を具備した吸込口を設け、外筒の下部側面には排出弁を具備した排出口を設けていることを特徴とする燃料抜取り器。
【考案の詳細な説明】
【技術分野】
【０００１】
本考案は燃料タンクから燃料を抜取る燃料抜取り器に関し、特に暖房器具の油受皿から残った燃料を抜取る燃料抜取り器に関するものである。
【背景技術】
【０００２】
寒いシーズンが終わり暖房器具を片付ける場合、残った燃料を抜取らずに片付けると燃料が変質し、ノズルが詰まったりして故障の原因になる。
【０００３】
従来、暖房器具の油受皿内に残った燃料を抜取る場合、給油ポンプやスポイト等で吸わせる方法が一般的であり、特にスポイトで吸わせる場合には別の容器に入れる作業を何回も繰り返し行わなければならず、手間と時間がかかり、しかも狭所であるので作業がしにくかった。また、燃料抜取り作業中に燃料がこぼれることもある。
【考案の開示】
【考案が解決しようとする課題】
【０００４】
本考案は、上記種々の問題点を解決すべくなされたもので、片手で連続した操作が行えて早く楽に確実に残った燃料を抜取ることができる燃料抜取り器を提供しようとするものである。
【課題を解決するための手段】
【０００５】
本考案は円筒形の内筒と外筒で構成されていて、外筒と内筒との間にコイルバネを介装したポンプ状の燃料抜取り器で、該外筒の底部外周に流入口および底面に吸込弁を具備した吸込口を設け、外筒の下部側面には排出弁を具備した排出口を設けたものである。
【０００６】
吸込弁と、排出弁はゴム系板体で構成しているが、球状弁でも可能である。
【考案の効果】
【０００７】
本考案による燃料抜取り器によれば、コイルバネにより常時内筒が押上げられる方向に付勢されているため、内筒を押下げる動作のみで継続して確実に素早く残った燃料を抜取ることができる。また、吸込み時はコイルバネの力により、内筒が押上げられ吸込弁が開き排出弁は閉じるので、片手で押すだけの楽な操作で連続した操作が行え、早く燃料を抜取ることができる。
【考案を実施するための最良の形態】
【０００８】
本考案の実施例を図面により説明する。図１は暖房器具に本考案による燃料抜取り器を設置した状態を示す斜視図である。同図において、１は暖房器具で、２は油受皿であり、該油受皿２の補給口３に燃料抜取り器４を挿置している。
【０００９】
５は抜取った燃料を入れる容器であり、ホース６により燃料抜取り器４に接続されている。７はカートリッジタンクであり、該カートリッジタンク７は通常油受皿２に載置され、補給口３より燃料が供給されるが、本考案による燃料抜取り器４を使用するときは取り外しておく。
【００１０】
図２は燃料を吸込む時の状態を示す断面図である。同図に示すように内筒８が押下げられた状態からコイルバネ９の力で内筒８が矢印で示すように押し上げられ、吸込弁１０が開き、吸込口１３より油受皿２内に残っている燃料を吸い込む。この時、排出弁１１は閉じているので、吸い込んだ燃料は排出することはない。
【００１１】
図３は外筒１２内に吸込まれた燃料を排出する時の状態を示す断面図である。同図の矢印で示すように内筒８を押下げることにより吸込み弁１０は閉じるとともに排出弁
１１が開くので、燃料が排出され容器５に収納る。この操作を繰り返すことで、片手で押すだけの操作で油受皿２内の燃料を簡単に抜取ることができる。なお、内筒８を押下げた後、手を放すと、該内筒８は上記コイルバネ９の付勢力で押上げられ上述したように吸込口１３より残った燃料を吸い込む。
【００１２】
図４は外筒１２の底部の要部拡大斜視図であり、１３は吸込口で、下部を斜めにすることにより燃料が吸い込みやすくなり、１５は流入口で、該流入口を３箇所設けてあるので、スムーズに燃料が流れ込むことにより、早く最後まで燃料を抜取ることができる。
【図面の簡単な説明】
【００１３】
【図１】本考案による暖房器具の燃料抜取り器の最良の形態を示す斜視図である。
【図２】本考案による燃料抜取り器の燃料吸込み時を示す断面図である。
【図３】本考案による燃料抜取り器の燃料排出時を示す断面図である。
【図４】本考案による燃料抜取り器の外筒底部を示す要部拡大斜視図である。
【符号の説明】
【００１４】
１  暖房器
２  油受皿
３  補給口
４  燃料抜取り器
５  容器
６  ホース
７  カートリッジタンク
８  内筒
９  コイルバネ
１０  吸込弁
１１  排出弁  
１２  外筒  
１３  吸込口  
１４  排出口
１５  流入口
【図１】
0003118696.tif 000003
【図２】
0003118696.tif 000004
【図３】
0003118696.tif 000005
【図４】
0003118696.tif 000006
(57)【要約】      （修正有）【課題】表紙体の軽量化を図るとともに強靭性を発揮することができる用箋挾みやファイル等の表紙体を提供する。【解決手段】芯材が表面部に平滑面２を，裏面部にエンボス面を形成したボード板１であり、前記ボード板の表面部には適当な模様や表示５などを設けた表面シート４を配置し、前記ボード板の表面シート付き表面部及び裏面部を熱可塑性シート６によって被覆し、その周囲を溶着し一体化して成る表紙体である。【選択図】図１
0003118054.tif 000002
【実用新案登録請求の範囲】
【請求項１】
芯材が表面部に平滑面を裏面部にエンボス面を形成したボード板であり、前記ボード板の表面部には適当な模様や表示などを設けた表面シートを配置し、前記ボード板の表面シート付き表面部及び裏面部を熱可塑性シートによって被覆し、その周囲を溶着し一体化して成ることを特徴とする表紙体。
【請求項２】
ボード板の一端部中央に設けた通孔に磁石を設置し、この磁石と相対する位置に金属片を設けた挾持板を開閉自在に設けて成る請求項１に記載した表紙体。
【考案の詳細な説明】
【技術分野】
【０００１】
本考案は、各種の用箋挾みやファイルにおける表紙体に関するものである。
【背景技術】
【０００２】
従来から用箋挾みやファイルの表紙体は、比較的厚い硬質の芯材に接着剤を塗布し、ポリプロピレン等熱可塑性樹脂シートによって被覆加熱して一体化していたが、これでは接着剤の乾燥時に芯材とシート間に発生するガスによって気泡や膨張が起る欠点があった。
【０００３】
そこで、このような欠点を解消しようとして、次のような公知文献が見られるが、表紙体としては構造上の改良の余地が存していた。
【０００４】
【特許文献１】特公昭６２−４２２１号公報
【特許文献２】実公平８−９８２２号公報
【考案の開示】
【考案が解決しようとする課題】
【０００５】
本考案は、表紙体の軽量化を図るとともに強靭性を発揮できる表紙体を提供することを目的とするものである。
【課題を解決するための手段】
【０００６】
本考案は、芯材が表面部に平滑面を，裏面部にエンボス面を形成したボード板であり、前記ボード板の表面部には適当な模様や表示などを設けた表面シートを配置し、前記ボード板の表面シート付き表面部及び裏面部を熱可塑性シートによって被覆し、その周囲を溶着し一体化して成るものである。
【考案の効果】
【０００７】
本考案の表紙体においては、一面にエンボス加工した芯材を使用し、一定の厚さは保持していても、空気層の面積を大きくしていることから、表紙体全体の重量は従来の硬質芯材を使用したものの半分位となり、軽量の表紙体を実現し、携帯していても疲労は蓄積せず、快適に仕事をすることができるようになる。
【０００８】
表紙体の表面部は平滑面に成るから筆記などに全く不便はなく、円滑に筆記を行うことができるし、同裏面部はエンボス面に成るから、指先に当たる感触に抵抗感を与え、表紙体を確実に保持することができる。
【０００９】
芯材となるエンボス加工ボード板とこのボード板の全面を被覆するシートは、例えばポリプロピレンなどの同一材料を使用すれば、温度や湿度などの変化に影響されることはないから、被覆するシートに気泡や垂みや皺などが発生することはなく、長期間安定して一定の形態を維持することができる。
【考案を実施するための最良の形態】
【００１０】
任意形状の表紙体の芯材となる熱可塑性樹脂製のエンボス加工ボード板の表面部に表面シートを配置した後、このボード板の表裏両面部を熱可塑性樹脂製シートで被覆しその周囲を溶着して全体を一体に固定する。
【００１１】
このような工法と構成は、用箋挾みであってもファイルであっても同様である。
【実施例】
【００１２】
１は任意形状に成る表紙体の芯材となる熱可塑性樹脂製のエンボス加工したボード板で、このボード板は表面部に平滑面２を形成し，裏面部に多数の凹部を有するエンボス面３を形成して成る。
【００１３】
４は前記ボード板の表面部に配置した表面シートで、このシートには周面模様縁部５を設けたり、その他適当な表示や文字などを印刷する。
【００１４】
６，６は前記ボード板１の表面シート４付き表面部及び裏面部の両面部に配置して被覆した熱可塑性樹脂製のシートで、この表裏両シートは前記ボード板全体を包囲し周囲を一体に溶着するようにする。
【００１５】
７，７は前記ボード板１の一端部中央に設けた磁石で、この磁石に対応する位置に金属片８，８を設けた挾持板９をボード板の一端部に開閉自在に設ける。
【００１６】
以上の構成は、用箋挾み１０となる。
【００１７】
１１は背表紙を介して２枚の表紙体から成るファイルで、このファイルの表紙体の構成も前記用箋挾み１０の場合と同様である。
【００１８】
即ち、その断面構造は、芯材としてのエンボス加工ボード板１２、このボード板表面部の平滑面１３、同裏面部のエンボス面１４、前記表面部上の表面シート１５、全体を被覆したシート１６，１６から成る。
【図面の簡単な説明】
【００１９】
【図１】一実施例の一部切欠正斜視図
【図２】図１実施例の一部切欠背斜視図
【図３】図１Ａ−Ａ線の拡大断面図
【図４】一実施例の製造工程順を示す斜視図
【図５】他実施例の一部切欠正斜視図
【符号の説明】
【００２０】
１，１２              ボード板
２，１３              平滑面部
３，１４              エンボス面部
４，１５              表面シート
５                    模様縁部
６，６，１６，１６    被覆シート
７，７                磁石
８，８                金属片
９                    挾持板
１０                  用箋挾み
１１                  ファイル
【図１】
0003118054.tif 000003
【図２】
0003118054.tif 000004
【図３】
0003118054.tif 000005
【図４】
0003118054.tif 000006
【図５】
0003118054.tif 000007
(57)【要約】      （修正有）【課題】使用電力が少なく、軽量で材料コストも低く、転換した電気の持続性も長く絶大な効果を発揮する、その運用範囲は非常に広く、斬新で産業面での利用価値の高い振動式発電機の提供。【解決手段】一種の振動式発電機、従来の発電機のコイルをヨークに巻いた形から平面的な円盤状に切り替え、コイルを円盤の中にはめ込んだのが大きな特長、またコイルを円盤の両面に均等に散らし、磁石の磁場を利用して円盤状のコイルを動かし極性を発生させる、その円盤状のコイルから発生した極性に磁石を通して発生した吸引力と排除力でコイルが動く仕組である、また、コイルの円盤が動いた時に発生する極性と磁石の反作用を使って動力を出力する、構造的には外部からヨークやラミネーションを使って磁場を作る必要はなく、磁石そのものの磁性によって作用する。【選択図】図１
0003118034.tif 000002
【実用新案登録請求の範囲】
【請求項１】
振動式発電機において、主な部品は磁石、ディスケット、コイル、コンデンサ、コイルがディスケットと相互結合し、水平または垂直のコイルを形成する、磁石やコイルを上下左右または随意に動かし、磁石とディスケットのＮ極とＳ極の相互離合作用を利用して磁場を起こし、コイルを使って電気エネルギーを発生することを特徴とする、振動式発電機。
【請求項２】
請求項１記載の振動式発電機において、コイルが複数個貫通し、ディスケットの両面に設置され、水平型または垂直型のコイルを形成することを特徴とする、振動式発電機。
【請求項３】
請求項１記載の振動式発電機におていて、磁石とディスケットのＮ極とＳ極が相互に離合する作用を通して電気を起こし、コンデンサを使って蓄電し電気を安定させる振動式発電機。
【考案の詳細な説明】
【技術分野】
【０００１】
これは一種の振動式発電機で、本来円形で銅線を巻きつけたコイルを使用していた発電機を平面状に巻きつく形のコイルを使った発電機に改造したもので、上下左右または随意に動かすことで磁場を発生させ、それによりエネルギーを発生させることのできる振動式発電機である。
【背景技術】
【０００２】
火力発電、水力発電、風力発電、太陽エネルギー発電、原子力発電など、これまでさまざまな発電機や発電方法があることは周知の通りである、火力発電を例に挙げると、これに使われている燃料油や石炭からは、地球温暖化を加速させる原因となる二酸化炭素が発生し、これは地球全体に天災をもたらしているだけでなく、環境を破壊し、人々の健康に悪影響を及ぼす原因になっている、そのためにどのように改善し、安全かつ環境にやさしい発電をどのように実現させるか、それが現代における一人ひとりが渇望する目標である、また火力発電のほかに、水力発電、風力発電、太陽エネルギー発電などは、環境に対して深刻な影響はないものの、さまざまな生態環境への懸念から制限を受け、広く運用できないのが実情である。
【０００３】
また、前述のいろいろな発電方法は、いずれも外からの力を使って発電機を動かしている、それらの発電機はコイルと磁石で磁場を発生させてから電力を発生させる仕組みで、導線を巻きつけたコイルを使っている発電機などはすべて円状からエネルギーを発生させる構造から、現在のこの方法ではさらなる発展が難しいとされている、そこで、いかに基本的な発電方式を変えることができるかが、業界でも課題となっている。
【考案の開示】
【考案が解決しようとする課題】
【０００４】
この考案の主な目的は前述のようなさまざまな発電方式を使った発電機がいずれも導線を巻きつけたコイルと磁石をあわせることで磁場を発生させ、さらにエネルギーを電気に転換するという方式に加え、円状から発電させるという欠陥を解決することにある。
【課題を解決するための手段】
【０００５】
請求項１の考案は、振動式発電機において、主な部品は磁石、ディスケット、コイル、コンデンサ、コイルがディスケットと相互結合し、水平または垂直のコイルを形成する、磁石やコイルを上下左右または随意に動かし、磁石とディスケットのＮ極とＳ極の相互離合作用を利用して磁場を起こし、コイルを使って電気エネルギーを発生することを特徴とする、振動式発電機としている。
【０００６】
請求項２の考案は、請求項１記載の振動式発電機において、コイルが複数個貫通し、ディスケットの両面に設置され、水平型または垂直型のコイルを形成することを特徴とする、振動式発電機としている。
【０００７】
請求項３の考案は、請求項１記載の振動式発電機において、磁石とディスケットのＮ極とＳ極が相互に離合する作用を通して電気を起こし、コンデンサを使って蓄電し電気を安定させることを特徴とする、振動式発電機。
【考案の効果】
【０００８】
本考案の振動式発電機は円形の動く軸心と丸く巻きつけられたコイルをすべて平面型または垂直型に変更し、コイルまたは磁石を上下左右や随意に動かすことによって磁場を起こしエネルギーを起こすものである、主要部品にはコイル、ディスケット、磁石などが使われている、上下左右または随意に動かすことで磁石とディスケットのＮ極とＳ極が相互に離合を繰り返すことにより磁場を発生させ、さらにコイルを使ってエネルギーを発生させているのである、このような構造は前代未聞で、斬新さはいうまでもなく、発生する電力は断続的であるという特性を有し、産業面で利用価値の高い考案である。
【考案を実施するための最良の形態】
【０００９】
図１は本考案の振動式発電機は主に磁石１、ディスケット２、コイル３、コンデンサ4 から構成される、コイル３をディスケット２と組み合わせ水平型または垂直型のコイルを形成する、そして磁石1 とディスケット２のＮ極とＳ極が相互に離合するという原理を利用して磁場を起こし、さらにコイル３で電気を発生させる、コイル３は複数個でディスケット２の両面を貫通して平面型または垂直型のコイルを形成する、磁石１またはそのコイル３が上下左右または随意の方向に動かされたとき、磁場と電気エネルギーが発生し、コンデンサ４を通して電力を作るものである。
【００１０】
この考案は振動を利用した発電であり、携帯電話端末、ラジオ、ウォークマン、撮影設備から電動自転車、電動二輪車、電動自動車、家庭用発電機、その他大型、小型発電機まで運用範囲も幅広い、さらには波力発電にも利用されることが考えられる、したがって、この振動発電の原理を利用して電気を起こすということは、極小型の電池または超大型発電施設でも可能であり、まさにオールマイティな発電方法と言える。
【００１１】
このように、振動式発電機はこれまでのさまざまな発電方法で使われてきた円形の動く軸心と円形に巻きつけたコイルをすべて水平型または垂直型に変更し、コイルまたは磁石を上下左右や随意に動かすことにより磁場と電気を起こす仕組みである、この構造は前代未聞で、発生した電力の持続が高い実用価値があり、新型特許の要件を満たす考案である。
【図面の簡単な説明】
【００１２】
【図１】本考案のブロック図である。
【符号の説明】
【００１３】
１  磁石
２  ディスケット
３  コイル
４  コンデンサ
【図１】
0003118034.tif 000003
(57)【要約】      （修正有）【課題】超ミニ傘の提供。【解決手段】超ミニ傘は、最下節の中棒３下端外部に設けられた細い溝３１１を利用すると共に、接着剤を塗布する事で、結合柱４１と互いに組み合わされて固定され一体となる。そして、下ろくろ２が結合柱の外側に沿って移動する事ができ、傘の総長さを短縮する効果を達成するものである。【選択図】図２
0003118075.tif 000002
【実用新案登録請求の範囲】
【請求項１】
傘骨、下ろくろ、多節中棒ユニット、及び柄を包含する超ミニ傘において、最下節の中棒下端外周に多くの細溝が設けられ、該中棒下端外周に接着剤が塗布され柄の結合柱の内穴中に挿入されて、結合固定され、該結合柱の外径は下ろくろの内径より小さく、傘の折り畳み時に、下ろくろが下へ移動し結合柱の外部を完全に覆うよう形成されたことを特徴とする、超ミニ傘。
【請求項２】
請求項１記載の超ミニ傘において、その中の結合柱の外径が多節中棒ユニットの最上端の内径より小さく、傘を畳むと、中棒の最上端の下段が結合柱の外部覆うよう形成されたことを特徴とする、超ミニ傘。
【考案の詳細な説明】
【技術分野】
【０００１】
本考案は一種の折り畳み傘、特に超ミニ傘に関する。
【背景技術】
【０００２】
図１に示すように、これは従来のミニ傘である。こんな傘の主な訴求点は、それをたたんだ際、最も短い長さとなり、携帯に便利な事である。そのため、通常の場合は簡潔な構成で、傘骨(1) 、下ろくろ(2) 、多節中棒(3) を包含する。また、最下節の中棒(31)を柄(4) 内部の結合柱(41)内に挿し込ませ、ピン(42)或いはネジを利用して一体と組み合わせ、下ろくろ(2) の上下移動により、傘の開閉ができるものである。
【０００３】
上記の従来のミニ傘は最適のデザインとは言えず、本考案ではその中の構造に、更なる改良を加えて更に短いミニ傘とし、製造的にもより簡単で、進歩性と実用性を持っている。
【考案の開示】
【考案が解決しようとする課題】
【０００４】
本考案ではその中の構造に、更なる改良を加えて更に短いミニ傘とし、製造的にもより簡単で、進歩性と実用性を持っている。
【課題を解決するための手段】
【０００５】
請求項１の考案は、傘骨、下ろくろ、多節中棒ユニット、及び柄を包含する超ミニ傘において、最下節の中棒下端外周に多くの細溝が設けられ、該中棒下端外周に接着剤が塗布され柄の結合柱の内穴中に挿入されて、結合固定され、該結合柱の外径は下ろくろの内径より小さく、傘の折り畳み時に、下ろくろが下へ移動し結合柱の外部を完全に覆うよう形成されたことを特徴とする、超ミニ傘。
【０００６】
請求項２の考案は、請求項１記載の超ミニ傘において、その中の結合柱の外径が多節中棒ユニットの最上端の内径より小さく、傘を畳むと、中棒の最上端の下段が結合柱の外部覆うよう形成されたことを特徴とする、超ミニ傘としている。
【考案の効果】
【０００７】
本考案の超ミニ傘は、最下節の中棒下端外部に設けられた細溝を利用すると共に、接着剤を塗布する事で、結合柱と互いに組み合わされて固定され一体となる。そして、下ろくろが結合柱の外側に沿って移動する事ができ、傘の総長さを短縮する効果を達成する。
【考案を実施するための最良の形態】
【０００８】
図２から図４に示すように、本考案では主に超ミニ傘を提供し、傘骨(1) 、下ろくろ(2) 、多節中棒(3) 、及び柄(4) を包含する。そして、本考案の主な特徴は、多節中棒(3) の最下端の中棒管(31)の下部外周に多数の細溝(311) を設け、細溝(311) の外部に接着剤を塗布した後、柄(4) 内の結合柱(41)の内穴(411) 中に挿入すると、乾燥後、効果的に粘着固定が完成し、別途ピン(42)で止める必要がない。そのため、製造過程を簡単にし、労働時間と費用を下げる事ができる。
【０００９】
また、本考案の結合柱(41)では、ピン(42)用の穿孔を提供する必要がないため、外径を小さく設定でき、傘をたたんだ時、下ろくろ(2) が完全に下までおりて、結合柱(41)の外部にかぶさる事ができる。この事により、従来のミニ傘に比べて、更にその長さを短縮する事ができ、本考案の効果を達成するものである
【００１０】
応用として、本考案は折たたみ後の総長さを更に短縮するため、結合柱(41)の外径を更に小さくする事ができ、最上端の中棒管(39)の下段部分をその外に重ねる事ができる。図５、図６に示すように、更にその総長さが短縮でき、実用的価値を増進するものである。
【図面の簡単な説明】
【００１１】
【図１】従来のミニ傘の平面断面図。
【図２】本考案のミニ傘の平面断面図。
【図３】図２の傘を開いた時の平面断面図。
【図４】本考案の中棒と柄部分の立体図。
【図５】本考案を変化させた実施例の平面断面図。
【図６】図５の傘を開いた時の平面断面図。
【符号の説明】
【００１２】
(1) 傘骨
(2) 下ろくろ
(3) 中棒
(4) 柄
(31)中棒管
(311) 細溝
(41)結合柱
(411) 内穴
(42)ピン
(39)中棒管
【図１】
0003118075.tif 000003
【図２】
0003118075.tif 000004
【図３】
0003118075.tif 000005
【図４】
0003118075.tif 000006
【図５】
0003118075.tif 000007
【図６】
0003118075.tif 000008